(57)【要約】      （修正有）【課題】人工透析に関わる前腕のシャント手術の縫合部を保護させ保護具が日常生活のなかでずれることがなく、また通気性のある構造を有し、圧迫や衝撃からシャント部位を保護するシャント部位保護具を提供する。【解決手段】シャント手術後の手首近傍に位置するシャント部位４を保護するために、前腕部から手首にかけて設けられる保護本体２０４と、保護本体の手首側端に連結されて保護本体を手首と掌とで協働して固定する固定部２と、を備えたものであって、保護具本体は、所定の長さと内径を有し空間を隔ててシャント部位を覆う両端開口にして通気性のある筒状体からなるものであって、固定部は、保護本体の手首側端部に結合される結合端部と、手首に密着し手首に掛り止めされる手首保持部と、掌と指に係止めされる掌係止部と、で構成されたシャント部位保護具である。【選択図】図２
2014113290.tif 000002
【特許請求の範囲】
【請求項１】
シャント手術後の手首近傍に位置するシャント部位を保護するために、前腕部から手首にかけて設けられる保護本体と、該保護本体の手首側端に連結されて該保護本体を手首と掌とで協働して固定する固定部と、を備えたものであって、前記保護具本体は、所定の長さと内径を有し空間を隔ててシャント部位を覆う両端開口にして通気性のある筒状体からなるものであって、前記固定部は、該保護本体の手首側端部に結合される結合端部と、手首に密着し手首に掛り止めされる手首保持部と、掌と指に係止めされる掌係止部と、からなることを特徴とするシャント部位保護具。
【請求項２】
前記筒状体の両端部近傍の内周面には、内側に凸状の丸み部が形成されていることを特徴とする請求項１に記載のシャント部位保護具。
【請求項３】
前記筒状体は、樹脂で形成されていて周囲に通気孔を備えるとともに前記固定部を結合する部位には結合溝が設けられていることを特徴とする請求項１または請求項２のいずれかに記載のシャント部位保護具。
【請求項４】
前記筒状体は、軸方向の一側面が開閉可能なように分割されるとともに、その分割された両端面には互いに結合する係合する係合手段が設けられていることを特徴とする請求項１乃至請求項３のいずれかに記載のシャント部位保護具。
【請求項５】
前記筒状体の反掌側端部には、緩衝材が設けられていることを特徴とする請求項１乃至請求項４のいずれかに記載のシャント部位保護具。  
【発明の詳細な説明】
【技術分野】
【０００１】
本発明は人工透析の分野に関するものである。        
【背景技術】
【０００２】
人工透析患者の透析のために、予め動脈と静脈をバイパスさせるためのシャントという手術を施す。このシャント部位への圧迫や衝撃を与えるとシャント自体の効果がなくなり再手術を行う必要が生じてくる。この衝撃保護のために裏側にクッションを取り付けた皮革製のベルト状の保護具がある（例えば、特許文献１参照）。
しかしこのものにあっては以下に示す欠点がある。
１．保護具がずれてシャント手術部位にクッションが当たることが考えられる。
２．シャント部位を覆う部分がベルト状の皮革製のためシャント部位の通気性がない。
３．シャント部位を覆う部分が皮革製のため脆弱性で圧迫されて潰れることが考えられる。
【先行技術文献】
【特許文献】
【０００３】
【特許文献１】特開  ２００２−３１５８２６
【発明の概要】
【発明が解決しようとする課題】
【０００４】
本発明は以上のような従来の欠点に鑑み、保護具が日常生活のなか（日中の生活および就寝中）でずれることがなく、また通気性のある構造を有し、圧迫や衝撃からシャント部位を保護するシャント部位保護具を提供することを目的とする。
【課題を解決するための手段】
【０００５】
本発明は上記目的を達成するために第一の発明は、シャント手術後の手首近傍に位置するシャント部位を保護するために、前腕部から手首にかけて設けられる保護本体と、該保護本体の手首側端に連結されて該保護本体を手首と掌とで協働して固定する固定部と、を備えたものであって、前記保護具本体は、所定の長さと内径を有し空間を隔ててシャント部位を覆う両端開口にして通気性のある筒状体からなるものであって、前記固定部は、該保護本体の手首側端部に結合される結合端部と、手首に密着し手首に掛り止めされる手首保持部と、掌と指に係止めされる掌係止部と、で構成されたシャント部位保護具である。
【０００６】
前記筒状体の両端部近傍の内周面には、内側に凸状の丸み部が形成されていてもよい。
【０００７】
前記筒状体は、樹脂で形成されていて周囲に通気孔を備えるとともに前記固定部を結合する部位には結合溝が設けられていてもよい。                                          
【０００８】
前記筒状体は、軸方向の一側面が開閉可能なように分割されるとともに、その分割された両端面には互いに結合する係合する係合手段が設けられていてもよい。
【０００９】
前記筒状体の反掌側端部には、緩衝材が設けられていてもよい。
【発明の効果】
【００１０】
第一の発明にあっては、本発明の保護具の装着では掌や手首部分での保持が簡単で確実にでき、また、前後にずれることがなくシャント手術部の保護ができた。就寝時においては装着したままであっても寝具あるいは使用者の身体によるシャント手術部への圧迫がないようになった。該保護具には通気孔が設けられているため、常時装着においても前腕の蒸れが軽減され快適であるという効果が得られた。
【００１１】
第二の発明にあっては、第一の発明に加えて更に、該保護具の内面がシャント部位に接触しないように工夫してあり、就寝時あるいは外出などにおける人ごみでの外的圧迫により本保護具が前腕に押し付けられたとしても、該保護具がシャント部位に接触することがなく安心、安全となった。
【００１２】
第三の発明にあっては、第一および第二の発明に加えて更に、前記保護本体を樹脂製としたことにより軽量かつ強度を持つ。また通気性を有する形状とし、前記固定部の着脱が可能であることにより該固定部を洗濯したり交換することにより清潔に保つという効果がある。
【００１３】
第四の発明にあっては、第一乃至第三の発明に加えて更に、前記保護本体の筒状体を軸方向に分割して開閉可能にすることにより、筒状体の内径が上腕を覆うことのできる最小の太さにすることができ、縮小化および軽量化が図られた。そのことにより常時装着および外出時の装着において快適性が増すこととなった。
【００１４】
第五の発明にあっては、第一乃至第四の発明に加えて更に、前記筒状体の端部に緩衝材を配置したことにより、筒状体の樹脂素材が直接前腕の肌に接触することを妨げることにより、安心、安全であり該保護具の装着の快適性が増すこととなった
【図面の簡単な説明】
【００１５】
【図１】本発明を実施するための実施例１の全体斜視図。
【図２】本発明実施例１の使用状態を示す使用端面図。
【図３】本発明実施例１の保護ケース断面図。
【図４】本発明実施例１の固定具斜視図。
【図５】本発明を実施するための実施例２の全体斜視図。
【図６】本発明を実施するための実施例３の保護ケース斜視図。
【図７】本発明を実施するための実施例４の全体斜視図。
【図８】本発明実施例４の保護ケース斜視図。
【図９】本発明を実施するための実施例５の全体斜視図。
【図１０】本発明実施例５の保護ケース斜視図。
【発明を実施するための形態】
【００１６】
以下に、本発明を実施するための形態を、実施例に基づいて説明する。
【実施例１】
【００１７】
図１ないし図４に示す実施例１において、保護具Ａは手が挿入できる内径を有する保護ケース１と、当該保護ケース１の一端に取り付けられた伸縮材からなる固定具２と、当該保護ケース１が肌に直接接触しないように固定具２と反対側の一端に取り付けられた緩衝材３で構成される。
【００１８】
保護具Ａは、保護ケース１と同心円状に結合された固定具２のくびれた手首保持部２０４で手首５を固定し、固定具２の伸縮力で保護ケース１のほぼ中心に保持され、シャント部位４とは十分な空間９を確保している。また、固定具２の先端部分には親指を挿通する親指孔２０１と残りの指を掛ける指孔２０２および２０３（図２参照）が施されている。
【００１９】
保護ケース１の差込側開口部１１は手が差し込める内径を有し、またその差込側開口部１１は手首側開口部１２と同じかあるいはそれより太いものとなっており、装着および脱着が容易である。
【００２０】
保護ケース１は通気性を持たせるため通気孔１０を所要量有する。また、その上にゴミの侵入を防止する網状の部材を設けた構造（図示しない）とした。
【００２１】
保護ケース１はポリプロピレンあるいはポリエチレンなどの樹脂製で軽く、強度を持つものとしている。
【００２２】
保護ケース１の手首側開口部１２の外縁は、固定具２が固定しやすいようにまた脱落し
ないように溝１４を設けている。
【００２３】
保護ケース１の差込側開口部１１と手首側開口部１２にはそれぞれ丸み１３、１５を設けてありその部分の内径は凹み（ｈ、ｈ’）を有し外的圧迫があってもシャント部位４が保護ケース１に接触しない構造となっている。
【００２４】
固定具２は手７の部分で手のひらに密着し指６の部分に掛かるようになっており、手首部分５は手首に密着して保護ケース１を同心円状に固定して、保護具Ａ全体を保持し許容量以上前後に動かない構造となっている。
【００２５】
固定具２はポリエステルあるいは綿などまたはその混合した弾性や通気性のある繊維状の伸縮性のあるものとし、保護ケース１の溝１４に被せるようにして結合させる。保護ケース１との結合部には交換が可能な面ファスナー１６（ひも、ゴム、バンド、ボタンでも良い）などを用いている。
【００２６】
緩衝材３は保護ケース１の差込側開口部が外的圧迫により前腕８の肌に接触して痛みを感じさせないように設けてある。
【００２７】
緩衝材３はポリエステル、綿またはその混合したもの等からなる繊維状のものあるいはシリコンゴムなどからなり、円筒状に形成されており差込側開口部１１の外縁から内縁に折り返した状態で保護ケース１に結合されている。そのために緩衝材３は前腕８の肌に保護ケース１が直接接触することを防いでいる。
【００２８】
次にその使い方を説明する。
本保護具Ａの装着は差込側開口部１１から手を挿入し、手袋状の固定具２に手７、指部分６を差し込んで行う。固定具２は保護ケース１から着脱が可能で、洗濯したり交換することにより本保護具Ａを清潔に保つことができる。
【００２９】
次にその使い方の場面を説明する。
１．就寝時の装着においては、寝具や使用者自身の体の圧迫からシャント部位の保護ができ安心して就寝ができるようになった。
２．本保護具Ａは軽量で強度や通気性があるため常時の装着が可能となり、日常生活においてシャント部位の保護が確保された。
３．外出時の装着においては、シャント部位への不用意な衝撃や人ごみでの外的圧迫から保護できるようになった。
【００３０】
以下に他の実施例を図にもとづいて説明する。説明に当たり、実施例１と同一構成部分には同一符号を付してその説明を省略する。
【実施例２】
【００３１】
次に図５に示す実施例２において実施例１と主に異なる点は、固定具２を保護ケース１に接着する構造にしたものである。このように形成した場合装着の際に保護具Ａの固定具１を前もって結合させることなく使用することができ簡単に扱うことができる。
【００３２】
固定具２は使用経過により汚れを生じることがあるが、その場合保護ケース１と固定具２は結合された状態で洗濯をすることが可能である。
【実施例３】
【００３３】
図６に示す実施例３おいて実施例１、２と主に異なる点は、保護具Ａは保護ケース１の通気孔を網状の通気孔１０にしたものである。このように形成した場合保護ケース全体の軽量化ができまた通気性が増し使用上の快適さが向上する。
【実施例４】
【００３４】
図７および図８に示す実施例４において実施例１乃至３と主に異なる点は、保護具Ａは平板状の保護具素材を熱形成により円筒状に巻いたものである。平板状のものを円筒状にした保護ケース１は樹脂成型の上で円筒状のものを製作するよりも容易である。
【００３５】
円筒状に巻かれた保護ケース１はその接合面１７のところで接着あるいは熱溶着等の従来の方法または図７に示されるようにホック１８のように形成されたものを以って固定される。
【００３６】
図８に示すのは平板の寸法Ｌ、Ｌ’を変えることにより保護ケース１の円筒の内径が変えられることができる。このことにより、成型の際に保護ケース１の太さの違うものに対し成型金型を複数準備する必要がなくなる。
【実施例５】
【００３７】
図９に示す実施例５において実施例１乃至４と主に異なる点は、保護具Ａは保護ケース１がセルフヒンジ１９を持たせた円筒の半割りの形状のもので、その内径は前腕を覆うだけの太さにすることでより細く軽量さが得られる。保護ケース１は緩衝材３を両開口部に接着をすることとし、保護具Ａはフックにより着脱が容易にできる構造となった。
【産業上の利用可能性】
【００３８】
医療分野において活用されるものとなる。透析に関わるシャント手術では、手術後の縫合部の保護になくてはならないものとなる。簡単に装着できシャント部位を確実に保護で
きるものができた。
【符号の説明】
【００３９】
１  保護ケース
２  固定具
３  緩衝材
４  シャント部位
５  手首
６  指
７  手
８  前腕
９  空間    
１０  通気孔        
１１  差込側開口部                                                          
１２  手首側開口部        
１３  内縁丸み部                
１４  外縁溝
１５  内縁丸み部
１６  面ファスナー                
１７  接合面
１８  ホック
１９  セルフヒンジ                
２０１  親指孔
２０２  指孔
２０３  小指孔
２０４  手首保持部
【図１】
2014113290.tif 000003
【図２】
2014113290.tif 000004
【図３】
2014113290.tif 000005
【図４】
2014113290.tif 000006
【図５】
2014113290.tif 000007
【図６】
2014113290.tif 000008
【図７】
2014113290.tif 000009
【図８】
2014113290.tif 000010
【図９】
2014113290.tif 000011
【図１０】
2014113290.tif 000012